(57)【要約】【課題】ポリマー蒸気の影響を回避したまつげエクステの取り付け方法を提供する。【解決手段】まつげエクステンション１００の取付け方法であって、人工まつげ本体部１０に接着剤１７を塗布する工程（ａ）と、接着剤１７から揮発する揮発成分１９を吸引する吸引器具２０を配置する工程（ｂ）と、吸引器具２０の吸引動作を実行しながら、接着剤１７が塗布された人工まつげ本体部１０をまつげ５０に装着する工程（ｃ）とを含む、取付け方法である。【選択図】図６
2015105447.tif 000002
【特許請求の範囲】
【請求項１】
まつげエクステンションの取付け方法であって、
先端部と末端部とを有する人工まつげ本体部に、接着剤を塗布する工程（ａ）と、
前記接着剤から揮発する揮発成分を吸引する吸引器具を配置する工程（ｂ）と、
前記吸引器具の吸引動作を実行しながら、前記接着剤が塗布された前記人工まつげ本体部をまつげに装着する工程（ｃ）と
を含む、取付け方法。
【請求項２】
前記吸引器具で吸引した空気は、前記接着剤から揮発したポリマーをフィルターで吸着してから排出される、請求項１に記載の取付け方法。
【請求項３】
前記工程（ｃ）を繰り返すことで、複数の前記人工まつげ本体部のそれぞれを、各まつげに装着することを実行する、請求項１に記載の取付け方法。
【請求項４】
前記接着剤は、シアノアクリレート系接着剤である、請求項１または２に記載の取付け方法。
【請求項５】
まつげエクステンションの取付け方法であって、
先端部と末端部とを有する人工まつげ本体部に、接着剤を塗布する工程（ａ）と、
前記接着剤から揮発する揮発成分を吹き飛ばす送風器具を配置する工程（ｂ）と、
前記送風器具の送風動作を実行しながら、前記接着剤が塗布された前記人工まつげ本体部をまつげに装着する工程（ｃ）と
を含む、取付け方法。
【請求項６】
まつげエクステンションの取付け方法であって、
先端部と末端部とを有する人工まつげ本体部に、接着剤を塗布する工程と、
前記接着剤から揮発する揮発成分を吸着する吸着材を、取付けされる人の眼の周囲に配置する工程と、
前記吸着材が配置された状態において、前記接着剤が塗布された前記人工まつげ本体部をまつげに装着する工程と
を含み、
前記吸着材は、前記揮発成分を吸着するクリーム、前記揮発成分を吸着するゲル、および、前記揮発成分を吸着する多孔質部材からなる群から選択された少なくとも一つである、取付け方法。
【請求項７】
まつげエクステンションの取付け方法であって、
先端部と末端部とを有する人工まつげ本体部に、接着剤を塗布する工程と、
前記接着剤から揮発する揮発成分が眼球に向かうのを保護するように、伸縮型テープで、取付けされる人のまつげの内側の粘膜部から眼球まで保護する工程と、
前記伸縮型テープで保護した状態において、前記接着剤が塗布された前記人工まつげ本体部をまつげに装着する工程と
を含む、取付け方法。
【請求項８】
まつげエクステンションを施術するための施術器具セットであって、
人工まつげ本体部に塗布する接着剤から揮発する揮発成分を吸引する吸引器具を備えていることを特徴とする、施術器具セット。
【請求項９】
前記吸引器具は、前記吸引した空気における前記揮発成分中のポリマーを除去するフィルターを備えている、請求項７に記載の施術器具セット。
【請求項１０】
さらに、前記人工まつげ本体部を掴むピンセットを備えており、
前記接着剤は、シアノアクリレート系接着剤である、請求項１または２に記載の取付け方法。
【請求項１１】
まつげエクステンションの取付けの際における接着剤から発生する揮発ポリマーを検査する方法であって、
薄目を開けた形状の開口部を有するシート部材と、前記シート部材の前記開口部を覆う人工まつげ構造物と、前記シート部材の前記開口部の下方に配置され、前記開口部を通過した揮発ポリマーを付着させる付着部とを備えた測定キットを用意する工程と、
先端部と末端部とを有する人工まつげ本体部に接着剤を塗布して、前記測定キットの前記人工まつげ構造物の人工まつげ部分に前記人工まつげ本体部を装着する工程と、
前記人工まつげ本体部の装着を実行した後、前記測定キットの付着部に付着した前記揮発ポリマーをチェックする工程と
を含む、検査方法。
【請求項１２】
前記測定キットの前記付着部は、ゼラチンから構成されている、請求項１０に記載の検査方法。
【請求項１３】
前記チェックする工程は、前記測定キットの前記付着部に付着した揮発ポリマーを目視することで実行される、請求項１０または１１に記載の検査方法。
【請求項１４】
前記チェックする工程は、
前記測定キットの前記付着部に付着した揮発ポリマーをカメラで撮像するステップと、
前記カメラで撮像した画像データを画像解析するステップと
を含む、請求項１０または１１に記載の検査方法。
【請求項１５】
前記チェックする工程は、前記測定キットの付着部の質量を測定することによって実行する、請求項１０に記載の検査方法。
【請求項１６】
まつげエクステンションの取付けの際に眼に侵入する異物を検査する方法であって、
薄目を開けた形状の開口部を有するシート部材と、前記シート部材の前記開口部を覆う人工まつげ構造物と、前記シート部材の前記開口部の下方に配置され、前記開口部を通過した異物を付着させる付着部とを備えた測定キットを用意する工程と、
先端部と末端部とを有する人工まつげ本体部に接着剤を塗布して、前記測定キットの前記人工まつげ構造物の人工まつげ部分に前記人工まつげ本体部を装着する工程と、
前記人工まつげ本体部の装着を実行した後、前記測定キットの付着部に付着した異物をチェックする工程と
を含む、検査方法。
【請求項１７】
まつげエクステンションの取付けの際における接着剤から発生する揮発ポリマーを測定するキットであって、
薄目を開けた形状の開口部を有するシート部材と、
前記シート部材の前記開口部を覆う人工まつげ構造物と、
前記シート部材の前記開口部の下方に配置され、前記開口部を通過した揮発ポリマーを付着させる付着部と
を備えている、測定キット。
【請求項１８】
さらに、前記接着剤から発生する揮発ポリマーを吸引する吸引器具を備えている、請求項１６に記載の測定キット。
【請求項１９】
前記測定キットの前記付着部は、ゼラチンから構成されている、請求項１６または１７に記載の測定キット。
【請求項２０】
前記測定キットの前記付着部は、質量メータの上に配置されている、請求項１６または１７に記載の測定キット。
【請求項２１】
まつげエクステンションの取付けの際に眼に侵入する異物を検査するキットであって、
薄目を開けた形状の開口部を有するシート部材と、
前記シート部材の前記開口部を覆う人工まつげ構造物と、
前記シート部材の前記開口部の下方に配置され、前記開口部を通過した異物を付着させる付着部と
を備えている、測定キット。
【発明の詳細な説明】
【技術分野】
【０００１】
本発明は、まつげエクステンション用の取り付け方法に関する。特に、地まつげとまつげエクステンションとの間の接着剤の影響を考慮した取り付け方法に関する。また、本発明は、まつげエクステンション用の施術器具セットに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂まつげエクステンション（以下、「まつげエクステ」と称する。）と呼ばれる人工まつげが提案されている（例えば、特許文献３など）。このまつげエクステ（人工まつげ）は、まぶたには接着せずに、接着剤を用いてまつげに直接接着するため、装着感が良く、皮膚がかぶれるおそれが少ない。また、まつげエクステは、まつげ一本に対して一本ずつ接着するので、つけまつげに比べて自然な感じでまつげに長さやボリュームを与えることができる。
【０００４】
まつげエクステは、接着剤を用いて、まつげ（地まつげ）に取り付けるので、接着剤の接着強度を上げることにより、まつげエクステが取れにくくすることが可能である。
【先行技術文献】
【特許文献】
【０００５】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００６】
図１（ａ）から（ｃ）は、まつげエクステ１０００を、使用者５５のまつげ５０に取り付ける典型的な方法を説明する図である。まず、図１（ａ）に示すように、まつげエクステ１０００（人工まつげ本体部１１０）の一部をピンセット６０で掴み、そしてエクステ１０００の末端部１１５に接着剤（グルー）１１７を塗布した状態で、まつげエクステ１０００をまつげ５０の近くに持っていく。
【０００７】
次に、図１（ｂ）に示すように、まつげエクステ１０００の接着剤１１７をまつげ５０に付けて、まつげエクステ１０００をまつげ５０に密着させる。そして、接着剤１１７が硬化して、まつげエクステ１０００がまつげ５０に固定されたならば、図１（ｃ）に示すように、ピンセット６０を外して、まつげエクステ１０００の取り付けが完了する。この作業を各まつげ５０について行う。
【０００８】
本願発明者が検討したところによると、次のようなことがわかった。まず、まつげエクステで使用する接着剤１１７は、いわゆる揮発性有機化合物であるため、揮発性物質を含んでおり、その揮発性物質には刺激性がある。揮発性物質は、例えば食用酢などでイメージできるように、目の粘膜を刺激する。
【０００９】
そして、まつげエクステ用の接着剤（１１７）は、シアノアクリレート系接着剤を使うことが大半である。シアノアクリレート系接着剤は、硬化する際に「蒸気」と呼ばれるポリマーがでる。これは、その特性を活かして、指紋検出などで活用されることがあるものである。このポリマー（蒸気）は、白っぽく目に見えることがあるが、接着剤の種類、使用する室内温度または湿度などの環境によって出る量が異なる。
【００１０】
まつげエクステの施術時には、これら揮発性物質またはポリマー（蒸気）が眼や粘膜に付着しないように眼を閉じてもらい、その周辺にテープを貼り付けて施術する。そのため、普通に施術をすれば眼や粘膜に揮発性物質やポリマーが付着することはない。しかしながら、いくつかの状況においては、施術中に目を薄く開いてしまうことがあることがわかった。
【００１１】
まず、施術する者がテープで引っ張りすぎている等、施術者の貼り付けの不手際や確認不足によるものがある。つまり、施術者のミスに起因するもの。あるいは、施術前のテープ貼り付け時には、しっかり目を閉じているが、施術中に寝てしまった場合、表情筋がゆるむことで薄目をあけてしまうことがある。つまり、施術を受ける者に起因するものがある。
【００１２】
また、まつげエクステをする人は、アイメイク全般をする傾向が強い。コンタクトレンズの装着、マスカラ、アイライン、アイシャドウなどは、それらをしない人と比べると、目の病気を引き起こしやすい。それは、目の涙腺から分泌される液体（涙）の量が少ないことが要因の一つかもしれない。さらに、現在人の多くは目が乾く、いわゆるドライアイの人が増えている。これは、スマートフォンの普及により、さらに増えていると言われている。一説には眼科を受診する人が少ないため、「隠れドライアイ」は、１０００万人を越えると言われている。
【００１３】
ここで、まつげエクステの施術によって、何らかの症状を訴えてくる人は、３０００人に１人くらいである（０．０３％程度）。その中には、アレルギー反応による人、体調不良によるもの、自身の目の病気に起因するものなども含まれている。したがって、施術中に目を薄くあけてしまっていることで、不具合が生じている可能性はさらに低くなる（おそらく０．０１％未満）。
【００１４】
しかしながら、本願出願人が日本のまつげエクステ業界でリーダー的存在であることをふまえて、本願発明者は、できることならば、まつげエクステの施術時のトラブルが０．０１％未満のレベルから、さらに１件でも低下することを願って、まつげエクステの施術時のトラブルの丹念に調べた。
【００１５】
国民生活センターまたは厚生労働省の報告によると、まつげエクステのトラブル報告として、眼球においては「角膜炎、結膜炎」が多く見られる。すなわち、眼球やまぶたの裏側に傷が付き、そこにバイ菌が傷に入って炎症を起こす病気が見られる。また、目の粘膜付近では、「眼瞼縁炎、刺激性接触皮膚炎」などが多く見られる。これらの回答の中で、施術翌日に眼科で診てもらったら、「眼に複数の傷が付いている。接着剤が入ったのか？」という話があった。しかしながら、施術をした者も、施術を受けた者も、接着剤が眼に入った覚えが無いというのが常であった。
【００１６】
本願発明者の見解によると、施術をした者も施術を受けた者も接着剤が眼に入った覚えが無いというものは、まつげエクステのトラブルで稀に起こる身体的トラブルの多くを占めることがわかった。そして、それらのトラブルが起きるのは、施術当日から数日以内に発症するのがほとんどであった。事実、まつげエクステを装着してから１週間後または２週間後に身体的トラブルが発生したということはほとんど聞かれなかった。
【００１７】
これらのことを踏まえると、本願発明者は、「接着剤が眼に入った覚えが無い」ものの、施術中に眼や粘膜に異物が入ったという推論を立てた。そして、目に見えないもので、眼や粘膜を傷つける可能性があれば、物理的な刺激を発生させているポリマー（蒸気）が原因ではないかという仮説を立ててみた。そして、その仮説をもとにして実験を行い、新規のまつげエクステンションの取り付け方法を開発した。
【００１８】
本発明はかかる点に鑑みてなされたものであり、その主な目的は、新規のまつげエクステの取り付け方法を提供することにある。
【課題を解決するための手段】
【００１９】
本発明に係るまつげエクステンションの取付け方法は、先端部と末端部とを有する人工まつげ本体部に、接着剤を塗布する工程（ａ）と、前記接着剤から揮発する揮発成分を吸引する吸引器具を配置する工程（ｂ）と、前記吸引器具の吸引動作を実行しながら、前記接着剤が塗布された前記人工まつげ本体部をまつげに装着する工程（ｃ）とを含む。
【００２０】
ある好適な実施形態では、前記吸引器具で吸引した空気は、前記接着剤から揮発したポリマーをフィルターで吸着してから排出される。
【００２１】
ある好適な実施形態では、前記工程（ｃ）を繰り返すことで、複数の前記人工まつげ本体部のそれぞれを、各まつげに装着することを実行する。
【００２２】
ある好適な実施形態において、前記接着剤は、シアノアクリレート系接着剤である。
【００２３】
本発明に係る他のまつげエクステンションの取付け方法は、先端部と末端部とを有する人工まつげ本体部に、接着剤を塗布する工程（ａ）と、前記接着剤から揮発する揮発成分を吹き飛ばす送風器具を配置する工程（ｂ）と、前記送風器具の送風動作を実行しながら、前記接着剤が塗布された前記人工まつげ本体部をまつげに装着する工程（ｃ）とを含む。
【００２４】
本発明に係る更に他のまつげエクステンションの取付け方法は、先端部と末端部とを有する人工まつげ本体部に、接着剤を塗布する工程と、前記接着剤から揮発する揮発成分を吸着する吸着材を、取付けされる人の眼の周囲に配置する工程と、前記吸着材が配置された状態において、前記接着剤が塗布された前記人工まつげ本体部をまつげに装着する工程とを含み、前記吸着材は、前記揮発成分を吸着するクリーム、前記揮発成分を吸着するゲル、および、前記揮発成分を吸着する多孔質部材からなる群から選択された少なくとも一つである。
【００２５】
本発明に係る更に他のまつげエクステンションの取付け方法は、先端部と末端部とを有する人工まつげ本体部に、接着剤を塗布する工程と、前記接着剤から揮発する揮発成分が眼球に向かうのを保護するように、伸縮型テープで、取付けされる人のまつげの内側の粘膜部から眼球まで保護する工程と、前記伸縮型テープで保護した状態において、前記接着剤が塗布された前記人工まつげ本体部をまつげに装着する工程とを含む。
【００２６】
本発明に係る施術器具セットは、まつげエクステンションを施術するための施術器具セットであり、人工まつげ本体部に塗布する接着剤から揮発する揮発成分を吸引する吸引器具を備えていることを特徴とする。
【００２７】
ある好適な実施形態において、前記吸引器具は、前記吸引した空気における前記揮発成分中のポリマーを除去するフィルターを備えている。
【００２８】
ある好適な実施形態では、さらに、前記人工まつげ本体部を掴むピンセットを備えており、前記接着剤は、シアノアクリレート系接着剤である。
【００２９】
本発明に係る検査方法は、まつげエクステンションの取付けの際における接着剤から発生する揮発ポリマーを検査する方法であり、薄目を開けた形状の開口部を有するシート部材と、前記シート部材の前記開口部を覆う人工まつげ構造物と、前記シート部材の前記開口部の下方に配置され、前記開口部を通過した揮発ポリマーを付着させる付着部とを備えた測定キットを用意する工程と、先端部と末端部とを有する人工まつげ本体部に接着剤を塗布して、前記測定キットの前記人工まつげ構造物の人工まつげ部分に前記人工まつげ本体部を装着する工程と、前記人工まつげ本体部の装着を実行した後、前記測定キットの付着部に付着した前記揮発ポリマーをチェックする工程とを含む。
【００３０】
ある好適な実施形態において、前記測定キットの前記付着部は、ゼラチンから構成されている。
【００３１】
前記チェックする工程は、前記測定キットの前記付着部に付着した揮発ポリマーを目視することで実行される。
【００３２】
ある好適な実施形態において、前記チェックする工程は、前記測定キットの前記付着部に付着した揮発ポリマーをカメラで撮像するステップと、前記カメラで撮像した画像データを画像解析するステップとを含む。
【００３３】
ある好適な実施形態において、前記チェックする工程は、前記測定キットの付着部の質量を測定することによって実行する。
【００３４】
本発明に係る他の検査方法は、まつげエクステンションの取付けの際に眼に侵入する異物を検査する方法であり、薄目を開けた形状の開口部を有するシート部材と、前記シート部材の前記開口部を覆う人工まつげ構造物と、前記シート部材の前記開口部の下方に配置され、前記開口部を通過した異物を付着させる付着部とを備えた測定キットを用意する工程と、先端部と末端部とを有する人工まつげ本体部に接着剤を塗布して、前記測定キットの前記人工まつげ構造物の人工まつげ部分に前記人工まつげ本体部を装着する工程と、
前記人工まつげ本体部の装着を実行した後、前記測定キットの付着部に付着した異物をチェックする工程とを含む。
【００３５】
本発明に係る測定キットは、まつげエクステンションの取付けの際における接着剤から発生する揮発ポリマーを測定するキットであり、薄目を開けた形状の開口部を有するシート部材と、前記シート部材の前記開口部を覆う人工まつげ構造物と、前記シート部材の前記開口部の下方に配置され、前記開口部を通過した揮発ポリマーを付着させる付着部とを備えている。
【００３６】
ある好適な実施形態では、さらに、前記接着剤から発生する揮発ポリマーを吸引する吸引器具を備えている。
【００３７】
ある好適な実施形態において、前記測定キットの前記付着部は、ゼラチンから構成されている。
【００３８】
ある好適な実施形態において、前記測定キットの前記付着部は、質量メータの上に配置されている。
【００３９】
本発明に係る検査キットは、まつげエクステンションの取付けの際に眼に侵入する異物を検査するキットであり、薄目を開けた形状の開口部を有するシート部材と、前記シート部材の前記開口部を覆う人工まつげ構造物と、前記シート部材の前記開口部の下方に配置され、前記開口部を通過した異物を付着させる付着部とを備えている。
【発明の効果】
【００４０】
本発明に係るまつげエクステンションの取付け方法では、人工まつげ本体部に接着剤を塗布した後、吸引器具の吸引動作を実行しながら、接着剤が塗布された人工まつげ本体部をまつげに装着する。したがって、接着剤から揮発した成分（ポリマー蒸気）は、吸引器具に吸引されるので、仮に、施術される人（被施術者）が薄目を開けていたとしても、そのポリマー蒸気が被施術者の眼に入ることはない。その結果、まつげエクステンション施術中において生じる眼への違和感の発生確率（例えば、３０００施術中に１件未満、または、１万の施術に１件以下）をさらに低下させることができる。
【００４１】
さらに、吸引器具で吸引した空気をフィルターで吸着してから排出した場合、接着剤から揮発したポリマー（ポリマー蒸気由来のポリマー）を当該フィルターで除去することができるので、まつげエクステンションの施術室の環境を良くすることができる。
【００４２】
また、本発明の他の取付け方法によれば、人工まつげ本体部に接着剤を塗布した後、送風器具の送風動作を実行しながら、接着剤が塗布された人工まつげ本体部をまつげに装着する。したがって、接着剤から揮発した成分（ポリマー蒸気）は、送風器具によって吹き飛ばされるので、仮に、施術される人（被施術者）が薄目を開けていたとしても、そのポリマー蒸気が被施術者の眼に入ることはない。
【００４３】
加えて、本発明の更に他の取付け方法によれば、接着剤から揮発する揮発成分（ポリマー蒸気）を吸着する吸着材を眼の周囲に配置した状態で、接着剤が塗布された人工まつげ本体部をまつげに装着する。したがって、接着剤から揮発した成分（ポリマー蒸気）は吸着材に吸着されるので、仮に、施術される人（被施術者）が薄目を開けていたとしても、そのポリマー蒸気が被施術者の眼に入ることはない。
【００４４】
そして、本発明の更に他の取付け方法によれば、伸縮型テープでまつげの内側の粘膜部から眼球まで保護した状態において、接着剤が塗布された人工まつげ本体部をまつげに装着する。したがって、接着剤から揮発した成分（ポリマー蒸気）は伸縮型テープで遮断されるので、施術される人（被施術者）が薄目を開けていたとしても、そのポリマー蒸気が被施術者の眼に入ることはない。
【００４５】
また、本発明に係る検査方法によれば、薄目を開けた形状の開口部を有するシート部材と、シート部材の前記開口部を覆う人工まつげ構造物と、シート部材の開口部を通過した揮発ポリマーを付着させる付着部とを備えた測定キットを用いて、測定キットの人工まつげ構造物の人工まつげ部分に、接着剤が塗布された人工まつげ本体部を装着する。ここで、人工まつげ本体部の装着を実行した後、測定キットの付着部に付着した揮発ポリマーをチェックする工程を実行することで、当該接着剤からのポリマー蒸気が、薄目を開けた形状の開口部をどれくらい通過したかを確認することができる。その結果、施術時において接着剤から発生しているポリマー（ポリマー蒸気）の程度、および／または、施術者のスキルを、測定キットを用いて、施術される人に実際に施術する前に確認・測定することができる。
【図面の簡単な説明】
【００４６】
【図１】（ａ）から（ｃ）は、まつげエクステンション１０００をまつげ５０に取り付ける方法を示す図である。
【図２】まつげエクステンション１０００をまつげ５０に取り付ける様子を示す図である。
【図３】ポリマー蒸気の測定キット（２００）をゼラチン２３０の上にセットした様子を示す図（図面代表写真）である。
【図４】測定キット（２００）を通過したポリマー蒸気がゼラチン２３０の上に付着した様子を示す図（図面代表写真）である。
【図５】ゼラチン２３０の上に付着したポリマー２５０を綿棒２６０で擦った際の様子を示す図（図面代表写真）である。
【図６】（ａ）から（ｃ）は、本発明の実施形態１に係るまつげエクステ１００の取付け方法を説明するための図である。
【図７】まつげエクステンション１００を上まつげ５０に取り付けた状態を示す図である。
【図８】（ａ）から（ｃ）は、本発明の実施形態２に係るまつげエクステ１００の取付け方法を説明するための図である。
【図９】（ａ）から（ｃ）は、本発明の実施形態３に係るまつげエクステ１００の取付け方法を説明するための図である。
【図１０】ポリマー蒸気の測定キット（検査キット）７０の構成を模式的に示す平面図である。
【図１１】ポリマー蒸気の測定キット（検査キット）７０の構成を模式的に示す断面図である。
【図１２】ポリマー蒸気の測定方法（検査方法）を説明するためのフローチャートである。
【図１３】ポリマー蒸気の測定キット（検査キット）７０の構成を模式的に示す断面図である。
【発明を実施するための形態】
【００４７】
図２を参照しながら、まつげエクステ１０００をまつげ５０に取り付ける様子を説明する。まつげエクステ１０００は、一本一本、施術者６５がピンセット（具体的には、まつげエクステ用ツィーザー）６０を使いながら、施術される人（ユーザー）５５のまつげ５０に装着されていく。施術される人５５は、額にタオル５９をのせられたり、眼５１の周りに、テープ５７、５８を貼り付けられることが多い。そして、顔を上向きにした状態で、約１時間のまつげエクステ施術が行われる。
【００４８】
テープ５７、５８は、ピンセット（まつげエクステ用ツィーザー）６０の先端が施術される人５５の皮膚に当たらないように保護するものである。上まつげの上側（眼５１から見て外側）（または、下まつげの下側（眼５１から見て外側））にテープ５７（又は５８）を貼り付けるが、まつげ５０の内側の粘膜部には、テープ５７（又は５８）は貼り付けることはしない。
【００４９】
まつげエクステの施術の際において、施術される人（ユーザー）５５には、目を閉じてもらうように伝えているので、通常、目に異物が入ることは考えられない。しかしながら、テープ５７、５８で引っ張りすぎたり、あるいは、施術前のテープ貼り付け時にはしっかり目を閉じているが、施術中に寝てしまって、施術中に目を薄く開いてしまうことがある。薄目があいたとしても、そこに異物が入る可能性は少ない。したがって、まつげエクステの施術時に生じる不都合（トラブル、違和感）は、施術される人（ユーザー）５５のアレルギーなどの特有の体質（または体調の悪化による皮膚障害）によるものとの結論付けあるいは推論付けを行っていたのが実情である。
【００５０】
まつげエクステの施術によって、何らかの症状を訴えてくる人は、３０００人に１人くらいであり（０．０３％程度）、アレルギー反応による人、体調不良によるもの、自身の目の病気に起因するものを除くと、施術中に目を薄くあけてしまっていることで不具合が生じている可能性はさらに低くなる（おそらく０．０１％未満）。そして、仮に薄目があいたとしても、施術中に、眼５１に混入する可能性がある具体的な異物が思いつかないことから、薄目があいてしまうことのトラブル防止措置は特に施さなくてもよいように思えた。
【００５１】
しかしながら、本願発明者は、まつげエクステ業界のより安全性アップおよびより信用性アップを測るために、接着剤が原因であることの可能性を調査した。まつげエクステの施術では、通常、シアノアクリレート系接着剤を使用する。シアノアクリレート系接着剤は、硬化する際に「蒸気」と呼ばれるポリマーがでるので、その蒸気（ポリマー蒸気）の影響を実験で確認することにした。
【００５２】
図３は、シアノアクリレート系接着剤の蒸気（ポリマー蒸気）の影響を調べる測定キット（検査キット）を示している。図３に示した測定キットは、施術される人（ユーザー）の顔に相当するフェイスシート２００と、フェイスシート２００に形成された開口部２２０を備えている。開口部２２０は、施術される人（ユーザー）が薄目をあけた状態を想定しており、図３では、実験の効果が出やすいように、薄目よりも大きめにまぶたが開いた状態にカットして開口部２２０を形成した。
【００５３】
また、薄目状態の開口部２２０を覆うように、つけまつげ（２１０、２１２）をセットした。図３に示したつけまつげは、人間のまつげに相当する人工まつげ部分２１２と、各々の人工まつげ部分２１２を支持する支持部２１０とから構成されている。つけまつげ（２１０、２１２）は、樹脂製であり、開口部２２０のほぼ全面を覆うようなものを用いている。
【００５４】
ここで、フェイスシート２００は、ゼラチン２３０が充填された容器（カップ）２４０の上に配置されている。ゼラチン２３０は、ドライアイ状態の眼球をイメージしたものであり、そのゼラチン２３０の上に、開口部２２０を有するフェイスシート２００が配置されている。
【００５５】
この図３に示した構成において、つけまつげの人工まつげ部分２１２の一本一本に、接着剤を塗布したまつげエクステを装着する実験を行った。使用した接着剤は、シアノアクリレート系接着剤であり、まつげエクステの施術は約１時間行った。
【００５６】
その結果を図４に示す。図４に示すように、まつげエクステの施術を約１時間行うと、フェイスシート２００の開口部２２０の下方に位置するゼラチン２３０の表面に、ポリマーの薄膜（皮膜）２５０が形成されることがわかった。このポリマーの薄膜２５０は、図５に示すように、綿棒２６０で擦っても、ゼラチン２３０の表面から取れずに付着していた。
【００５７】
実際には涙で覆われている人の眼球の表面とゼラチン２３０の表面との厳密な対比はできない部分もあるが、ゼラチン２３０の表面をドライアイ状態の眼球の一つの指標とすると、図５に示した実験例から、シアノアクリレート系接着剤の蒸気（ポリマー蒸気）が、どのくらいゼラチン２３０の表面に付着したか、そして、その付着の強さはどうかを確認することで、その使用する接着剤の揮発成分（および揮発成分中のポリマー蒸気）の影響を確認することができる。
【００５８】
本願発明者は、図４および図５に示されたような実験結果の状態を見て、シアノアクリレート系接着剤の蒸気（ポリマー蒸気）を極力まで低減しようという結論に達し、本発明を想到するに至った。もちろん、ゼラチン２３０の表面と眼球表面とは異なるとともに、シアノアクリレート系接着剤の蒸気が、薄目をあけた隙間から眼球表面に達しても、何の症状も起きない人が大多数かもしれないが、まつげエクステの安全性を少しでも向上させる上で施術技術を、より進歩させようと決意したことにより、本発明を創出した。なお、ポリマー蒸気自体は透明であるので、図３に示した測定キット（検査キット）で実験を行わないかぎり、このポリマー蒸気の付着の影響を見つけることはできなかった。
【００５９】
さらに説明すると、まつげエクステの施術には約１時間近くかかることが多いが、その間、薄目が開いていると眼の水分は失われ乾燥がちになる。眼や粘膜にポリマー（ポリマー蒸気）がたくさん付着したまま擦ると、眼に傷が付く可能性が高まる。また、眼における水分不足の人、すなわち、ドライアイ傾向の人は、結膜炎や角膜炎といったものになりやすい。これらのドライアイ傾向の人、まつげエクステ施術中にポリマーが眼に入る、擦ると傷が付く、目元には雑菌が繁殖しやすいという条件が揃うと、目元の病気が発生する可能性が高まることが予測される。
【００６０】
この目元の病気を回避する方法として、（１）目の病気の人には施術しない、（２）施術中はしっかり目を閉じてもらう、（３）目薬を点眼してから施術する、（４）コンタクトレンズで保護する、（５）テープでしっかり保護する、などがある。しかしながら、それらのことが徹底できないこと、あるいは、不完全なことがある。
【００６１】
一番良いのは、施術される者の「目を開けないようにする」ことが重要である。しかし、施術する者、施術される者の両方で、「目を開けないようにする」を完全に守るようにすることを徹底するよりも、仮に目が開いてしまっても、トラブルが生じにくい状態で施術することの方が技術的には意味がある。特に、現代人（若い人）で、アイメイク好きの人が、まつげエクステが好きであり、そして、まつげエクステでトラブルが生じやすい体質であることを踏まえると、なおさら、「目を開けないようにする」ことに特化するよりも、技術的な対策を講じることに価値がある。
【００６２】
以下、図面を参照しながら、本発明の好適な実施形態を説明する。以下の図面において
は、説明の簡潔化のために、同じ作用を奏する部材、部位には同じ符号を付し、重複する
説明は省略または簡略化することがある。また、各図における寸法関係（長さ、幅、厚さ
等）は、必ずしも実際の寸法関係を正確に反映していない場合がある。
【００６３】
また、本明細書において特に言及している事項以外の事柄であって本発明の実施に必要
な事項は、当該分野における従来技術に基づく当業者の設計事項として把握され得る。本
発明は、本明細書及び図面によって開示されている内容と当該分野における技術常識とに
基づいて実施することができる。加えて、本発明は、以下の実施形態に限定されるもので
はない。
【００６４】
＜実施形態１＞
図６（ａ）から（ｃ）を参照しながら、本発明の実施形態に係るまつげエクステンション１００の取付け方法について説明する。図６（ａ）から（ｃ）は、本実施形態のまつげエクステンション１００をまつげ５０に取り付ける方法を説明する図である。本実施形態におけるまつげエクステンション１００は、使用者のまつげの長さを延長する人工まつげである。なお、本実施形態では、まつげエクステンション（または、エクステンション用まつげ）を「まつげエクステ」と称する。
【００６５】
図６（ａ）に示すように、本実施形態のまつげエクステ１００は、先端部１１と末端部１５とを有する人工まつげ本体部１０から構成されている。本実施形態の構成では、人工まつげ本体部１０は、樹脂から構成されている。具体的には、本実施形態の人工まつげ本体部１０は、化学繊維から構成されている。
【００６６】
本実施形態の人工まつげ本体部１０を構成する樹脂（化学繊維）としては、例えば、ポリブチレンテレフタレート、ポリエステル、アクリル、塩化ビニール、ナイロンを挙げることができる。この例の人工まつげ本体部１０は、ポリブチレンテレフタレート（ＰＢＴ）から構成されているが、他の樹脂材料から構成されていてもよい。
【００６７】
また、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。着色剤（または染色剤）は、天然染料や合成染料の他、蛍光染料などである。
【００６８】
また、本実施形態の人工まつげ本体部１０は、樹脂以外に、天然素材のものを使用してもよい。例えば、人工まつげ本体部１０は、獣毛（例えば、ミンクの毛）であるが、他の獣毛を用いても構わない。なお、樹脂由来のまつげエクステ以外のものとしては、ここで挙げた獣毛の他、動物由来の材料（典型的には、人毛、シルクなど）、植物由来の材料（典型的には綿）を使用することも可能である。また、タンパク質を含んだ化学繊維から構成された人工まつげ本体部１０を用いることも可能である。
【００６９】
本実施形態の人工まつげ本体部１０は、まつげ型の形状を有している。具体的には、人工まつげ本体部１０の末端部１５の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１５の端面の直径（または厚さ）は例えば０．０７ｍｍ〜０．３ｍｍである。本実施形態のまつげエクステ１００では、末端部１５に接着剤（グルー）が付けられる。そして、まつげエクステ１００は、接着剤によって、使用者のまつげに接着されて固定される。
【００７０】
なお、本実施形態の人工まつげ本体部１０の形状は、図６（ａ）に示したものに限定されるものではなく、人工まつげ本体部１０は平べったい形状であっても構わない。または、人工まつげ本体部１０の末端部１５が丸く変形していてもよい。さらには、人工まつげ本体部１０の表面を削っても構わない。
【００７１】
次に、図６（ｂ）及び（ｃ）も加えて、本実施形態のまつげエクステ１００をまつげ５０に取り付ける方法を引き続き説明する。
【００７２】
まず、図６（ａ）に示すように、本実施形態のまつげエクステ１００（人工まつげ本体部１０）の一部をピンセット６０で掴み、そして末端部１５に接着剤１７を塗布する。そして、施術される人（ユーザー）のまつげ５０又はまぶた５５の周辺に、接着剤１７から揮発する揮発成分１９を吸引する吸引器具２０を配置しておく。先に、吸引器具２０を配置しておいてから、人工まつげ本体部１０に接着剤１７を塗布してもよいし、あるいは、
人工まつげ本体部１０に接着剤１７を塗布した後に、吸引器具２０を配置しても構わない。
【００７３】
本実施形態の接着剤１７は、シアノアクリレート系接着剤である。シアノアクリレート系接着剤は、メチル系（メチルシアノアクリレート）、エチル系（エチルシアノアクリレート）、ブチル系（ブチルシアノアクリレート）、オクチル系（オクチルシアノアクリレート）、メトキシ系（メトキシエチルシアノアクリレート）、エトキシ系（エトキシエチルシアノアクリレート）などの種類に分類可能で瞬間接着剤として使用できる。それらを所定割合でブレンドしたものも使用可能である。
【００７４】
まつげエクステ業界においては、初心者用グルーとして、メトキシエチル系、エトキシエチル系、硬化速度が遅めのブチル系を挙げることができる。これらのグルーは、低刺激で、硬化速度が遅く、粘性があるタイプのグルーである。一方、プロ用グルーとしては、エチル系、メチル系を挙げることができる。これらのグルーは、刺激があり、硬化速度が速く、液状のタイプのグルーである。
【００７５】
エチルシアノアクリレートは、プロ用グルーのほとんどがこれを主成分としている。メチルシアノアクリレートは、エチルシアノアクリレートと性質・効能がほぼ同じである。ブチルシアノアクリレートは、医療用の接着剤として使用されているもので、ホルムアルデヒドなどの有害成分がエチル系、メチル系に比べて少なく、低刺激である。エチル系とブチル系をかけあわせたものも存在する。オクチルシアノアクリレートも、医療用の接着剤として使用されているものである。メトキシエチルシアノアクリレートは、ブチル系よりも揮発性が少なくより低刺激である。エトキシエチルシアノアクリレートは、ブチル系よりも低刺激で（刺激がほぼなく）、接着剤特有の臭いによる刺激もほぼないという超低刺激である。なお、エチル系を５〜６割含有させて、それとともに他の系統の成分を混ぜ合わせて、低刺激かつ遅乾性のグルーに調整することも可能である。
【００７６】
まつげエクステ用の接着剤では、ほとんど、シアノアクリレート系の瞬間接着剤が使用されているが、ゼラチン−アルデヒド系接着剤、フィブリングルー系接着剤を挙げることができる。なお、これ以外の接着剤の使用を禁止するものではない。シアノアクリレート系接着剤であっても、それ以外の接着剤であっても、接着剤は、いわゆる揮発性有機化合物であるので、揮発性有機化合物が含まれている接着剤であれば、本発明に係る実施形態の手法の適用の範囲内となる。
【００７７】
図６に示した吸引器具２０は、吸引口部位２１と、吸引口部位２１に接続された吸引本体部２２とから構成されている。本実施形態の吸引器具２０は、矢印２５に示すように、接着剤１７から揮発する揮発成分１９を吸引することができる。本実施形態の構成では、揮発成分１９の吸引する流速（２５）を大きくするために、先端に開口部を有する円錐状の吸引口部位２１を吸引本体部２２の前方側に取り付けている。つまり、吸引本体部２２の開口部の径（直径）よりも、吸引口部位２１の径（直径）を小さくして、吸い込む力（２５）を向上させるようにしている。なお、このような略円錐状（断面が台形状のもの）の吸引口部位２１に限らず、他の形状の吸引口部位２１（例えば、略角錐状のもの）を用いてもよい。また、吸引口部位２１を用いずに、吸引本体部２２で、接着剤１７から揮発する揮発成分１９を吸引するような構成にしてもよい。
【００７８】
吸引本体部２２の内部は、吸引口部位２１から吸引した空気（２５）が流れる空間部が存在している。吸引された吸気は、最終的には、吸引本体部２２の外部に排出される。本実施形態の吸引器具２０は、吸引本体部２２の内部にモーター（吸引モーター）が内蔵された構造を有していてもよいし、吸引本体部２２の外部にモーター（吸引モーター）が配置された構造であってもよい。また、吸引モータが内蔵された吸引装置（比較的大型の装置）からホース（又はチューブ）を延ばして、吸引本体部２２に連結した構成で、吸引本体部２２（または吸引口部位２１）で吸引してもよい。吸引器具２０は、電池（一次電池、または、二次電池）を備えた内蔵型電源にしてもよいし、または、吸引器具２０からコードを延ばしてコンセントに接続する外部電力供給タイプにしてもよい。また、コンセントに接続できるとともに、それを二次電池の充電用にもできる、ハイブリッド方式の電源にしても構わない。
【００７９】
本実施形態の吸引器具２０の吸引力は、接着剤１７からの揮発成分１９を吸引できる範囲のものであれば特に制限されるものではない。さらには、接着剤１７に対して本実施形態の吸引器具２０が配置される距離によって所望とされる吸引力は異なってくるものであるが、典型的には、本実施形態の吸引器具２０の吸引力は、少なくとも１．２５ワットを有することが好ましい（例えば、単３乾電池２本分くらいのもの）。また、本実施形態の吸引器具２０の吸引力の上限は特に設定されないが、吸引力が強ければ強いほど、遠くの位置から揮発成分１９を効果的に吸い込むことができる。つまりは、眼から距離を離すほど強い吸引力が必要となる。また、吸引器具２０吸引力は、近づければ強くなるので、モータの出力（ワット数）だけに依存するわけではない。加えて、吸引口部位２１（例えば、ノズル）の形状を細くしたら、吸引力を上げることができる。
【００８０】
また、本実施形態の吸引器具２０は、吸引器具２０を支持する支持部材（固定部材）によって、眼（又はまぶた５５）の周囲に固定することが可能である。そうすることで、眼の周囲に漂う揮発成分１９を吸引器具２０によって吸引することができる。あるいは、本実施形態の吸引器具２０を、人の手で保持して、人工まつげ本体部１０に塗布された接着剤１７に近づけるようにして、接着剤１７から生じる揮発成分１９を吸引するようにしてもよい。
【００８１】
次に、図６（ｂ）に示すように、本実施形態の吸引器具２０の吸引動作（矢印２５）を実行しながら、接着剤１７が塗布された人工まつげ本体部１０をまつげ５０に装着する。具体的には、人工まつげ本体部１０の根本部１５に塗布された接着剤１７がまつげ５０に接触するように、人工まつげ本体部１０をまつげ５０に当てる。接着剤１７は比較的短時間に硬化して、１本の人工まつげ本体部１０（まつげエクステ１００）と１本のまつげ５０との接着が完了する。そして、この装着工程を繰り返すことで、人工まつげ本体部１０の１本ずつを、各まつげ５０に装着していく。
【００８２】
人工まつげ本体部１０をまつげ５０に装着する際には、吸引器具２０が動作しているので、接着剤１７の揮発成分（ポリマー蒸気）１９が、眼球の方に向かうことを防止することができる。したがって、眼球にポリマー蒸気が付着することもなく、目の病気の発生を防止することができる。なお、吸引器具２０は、人工まつげ本体部１０とともに移動する接着剤１７の近くに配置する場合の他、眼球付近（または、まぶた５５の付近）に配置してもよい。
【００８３】
人工まつげ本体部１０（まつげエクステ１００）をまつげ５０に密着させて装着させた後は、図６（ｃ）に示すように、ピンセット６０を外して、まつげエクステ１００の取り付けが完了する。この作業を各まつげ５０について行う。吸引器具２０は、必要なすべてのまつげ５０への装着が終わるまで、接着剤１７または眼球付近で連続動作させ続けてもよいし、まつげ５０への取付けのたびに、配置および撤去を繰り返して実行してもよい。
【００８４】
図７は、上まつげ５０のそれぞれにまつげエクステ１００を取り付けた様子を示している。図７に示すように、数多くのまつげ５０にまつげエクステ１００が取り付けられる。したがって、数多くのまつげ５０にまつげエクステ１００を取り付ける関係上、約１時間程度の施術時間がかかるが、その間、被施術者が薄目をあけていた場合、接着剤１７のポリマー蒸気が眼に入ってしまう可能性が高くなってしまう。
【００８５】
ここで、本実施形態のまつげエクステの取付け方法によれば、人工まつげ本体部１０に接着剤１７を塗布した後、吸引器具２０の吸引動作（２５）を実行しながら、接着剤１７が塗布された人工まつげ本体部１０をまつげ５０に装着する。したがって、接着剤１７から揮発した成分（ポリマー蒸気）１９は、吸引器具２０に吸引されることになるので、仮に、施術される人（被施術者）が薄目を開けていたとしても、そのポリマー蒸気（１９）が被施術者の眼に入ることはない。その結果、まつげエクステ施術中において生じる眼への違和感の発生確率（例えば、３０００施術中に１件未満、または、１万の施術に１件以下）をさらに低下させることができる。
【００８６】
本実施形態の吸引器具２０の構造は、吸引した空気（２５）における揮発成分（１９）中のポリマーを除去するフィルターを備えたものにすることができる。吸引器具２０に当該フィルターをセットする場合、吸引器具２０の吸引本体部２２の内部にセットできる構造にしてもよいし、吸引本体部２２の外部であって排気経路（排気ホースなど）の一部にセットできる構造であってもよい。このようなフィルターは、蒸気ポリマー（空気中を漂うポリマー）を吸着できる機能を有するものであれば特に制限されないが、例えば、抗菌フィルター、除菌フィルター、集塵フィルター、防臭フィルターなどを用いることができる。あるいは、フィルターとしては、カテキン、キトサン、シリカ、活性炭などのいずれかを含む材料、それらを繊維に含めた材料を使用することができる。また、フィルターとして、アルデヒド用キャッチャー剤（例えば、大塚化学株式会社製の「ケムキャッチ」）を含む材料、または、ホルムアルデヒド吸着・分解シート（例えば、アイシン精機株式会社製）を使用することができる。吸引器具２０で吸引した空気（２５）をフィルターで吸着してから排出できる構造の場合、接着剤１７から揮発したポリマー（ポリマー蒸気由来のポリマー）を当該フィルターで除去することができるので、まつげエクステ施術室の環境を良くすることができる。
【００８７】
また、本実施形態の吸引器具２０は、単体で準備して使用する他、まつげエクステ１００を施術するための施術器具セット（まつげエクステ施術セット）の一部として準備して使用することができる。まつげエクステ１００は、まつげエクステ用サロンで施術されることが多いが、そのようなサロンに対して、複数サイズまたは複数種類のまつげエクステ１００（人工まつげ本体部１０）をまつげエクステ施術セットの形で販売することがあるが、そこに吸引器具２０をオプションで含めることができる。そのセットには、人工まつげ本体部１０を掴むピンセット（６０）を含めることも可能である。また、そのようなセットは、まつげエクステ用サロンだけでなく、個人ユーザーに販売しても構わない。
【００８８】
＜実施形態２＞
次に、本発明の実施形態に係るまつげエクステ１００の他の取付け方法（実施形態２）について説明する。
【００８９】
上述した実施形態１の取付け方法では、吸引器具２０の吸引動作をしながら、人工まつげ本体部１０（まつげエクステ１００）をまつげ５０に装着した。一方、本実施形態２では、吸引器具２０ではなく、接着剤１７から揮発する揮発成分１９を吹き飛ばす送風器具を配置するようにしている。なお、他の構成については、上述した実施形態１の構成と共通するものが多いので、説明を簡単にするために省略する。以下、図６（ａ）から（ｃ）における吸引器具２０のところを、送風器具に置き換えて、本発明の実施形態２について説明を続ける。
【００９０】
本実施形態２の取付け方法では、図６（ａ）及び（ｂ）を参考として理解できるように、接着剤１７から揮発する揮発成分１９を吹き飛ばす送風器具を配置し、そして、送風器具の送風動作を実行しながら、接着剤１７が塗布された人工まつげ本体部１０（まつげエクステ１００）をまつげ５０に装着する。さらに説明すると、図６（ａ）及び（ｂ）における吸引器具２０のところに送風器具が位置し、吸引動作（２５）ではなく、送風動作を実行することで、接着剤１７からのポリマー蒸気（１９）が眼に入らないようにしている。先に、送風器具を配置しておいてから、人工まつげ本体部１０に接着剤１７を塗布してもよいし、あるいは、人工まつげ本体部１０に接着剤１７を塗布した後に、送風器具を配置しても構わない。
【００９１】
送風器具は、接着剤１７からのポリマー蒸気（１９）が眼に入らないように送風動作ができるものであれば特に限定はされない。例えば、図６（ａ）及び（ｂ）に示した形状構造を有するもので、送風本体部（２２）から空気を噴射できる送風器具を使用することができる。また、送風本体部（２２）に送風口部位（２１）を取り付けた構造を有する送風器具を使用することも可能である。送風本体部（２２）の中に送風用モータを配置してもよいし、送風本体部（２２）の外に送風用モータを配置して、そこで発生させた風をホース（管部材）を介して送風本体部（２２）に送るようにしても構わない。
【００９２】
送風器具は、扇風機のような回転送風装置を用いてもよく、それ以外の機構を用いた送風装置であっても構わない。また、送風器具は、接着剤１７からのポリマー蒸気（１９）が眼に入らないように送風できる位置に配置する。典型的には、眼の周辺に配置して、眼の上に（まぶたの上に）エアカーテンができるように送風を行って、薄目を開けた眼球にポリマー蒸気（１９）が侵入しないようにする。あるいは、接着剤１７の近くに送風器具を配置して、送風の下流側に（風下に）眼球が位置しないように送風動作を行う。
【００９３】
まず、図６（ａ）に示すように、本実施形態のまつげエクステ１００（人工まつげ本体部１０）の一部をピンセット６０で掴み、そして末端部１５に接着剤１７を塗布する。そして、施術される人（ユーザー）のまつげ５０又はまぶた５５の周辺に、接着剤１７から揮発する揮発成分１９を吸引する吸引器具２０を配置しておく。
【００９４】
人工まつげ本体部１０（まつげエクステ１００）をまつげ５０に密着させて装着させた後は、図６（ｃ）に示すように、ピンセット６０を外して、まつげエクステ１００の取り付けが完了する。この作業を各まつげ５０について行う。送風器具は、必要なすべてのまつげ５０への装着が終わるまで、接着剤１７または眼球付近で連続動作させ続けてもよいし、まつげ５０への取付けのたびに、配置および撤去を繰り返して実行してもよい。
【００９５】
また、本実施形態２のまつげエクステ取付け方法によれば、人工まつげ本体部１０に接着剤１７を塗布した後、送風器具の送風動作を実行しながら、接着剤１７が塗布された人工まつげ本体部１０をまつげ５０に装着する。したがって、接着剤１７から揮発した成分（ポリマー蒸気）１９は、送風器具によって吹き飛ばされるので、仮に、施術される人（被施術者）が薄目を開けていたとしても、そのポリマー蒸気が被施術者の眼に入ることはない。
【００９６】
上記実施形態１の取付け方法の場合、接着剤１７から揮発した成分（ポリマー蒸気）１９を吸引器具２０で吸引して、その空気は、被施術者から離れたところに排出したり、フィルターで濾過したりできるので、本実施形態２のものと比べると、より効果的であるが、本実施形態２の取付け方法でも、そのポリマー蒸気を被施術者の眼に入れないという点の効果は十分達成することができる。本実施形態２の手法は、吸引するよりも、風の流れを作って、接着剤１７から揮発した成分（ポリマー蒸気）１９を眼から遠ざけてしまう方が有利な場合に効果が高い。
【００９７】
＜実施形態３＞
次に、図８（ａ）から（ｃ）を参照しながら、本発明の実施形態に係るまつげエクステ１００の他の取付け方法（実施形態３）について説明する。図８（ａ）から（ｃ）は、本実施形態３のまつげエクステ１００をまつげ５０に取り付ける方法を説明する図である。
【００９８】
上述した実施形態１の取付け方法では、吸引器具２０の吸引動作をしながら、人工まつげ本体部１０（まつげエクステ１００）をまつげ５０に装着した。また、上記の実施形態２では、送風器具の送風動作を行いながら、人工まつげ本体部１０（まつげエクステ１００）をまつげ５０に装着した。一方、本実施形態３では、吸引器具２０（または送風器具）ではなく、接着剤から揮発する揮発成分を吸着する吸着材２３を用いて、ポリマー蒸気が被施術者の眼に入ることを抑制する。なお、他の構成については、上述した実施形態１の構成と共通するものが多いので、説明を簡単にするために省略する。
【００９９】
まず、図８（ａ）に示すように、本実施形態のまつげエクステ１００（人工まつげ本体部１０）の一部をピンセット６０で掴み、そして末端部１５に接着剤１７を塗布する。そして、接着剤１７から揮発する揮発成分１９を吸着する吸着材２３を、まつげエクステ１００が取付けされる人（被施術者）の眼の周囲に配置する。図示した例では、施術される人（ユーザー）のまぶた５５又はその周辺に、吸着材２３を付着させている。
【０１００】
本実施形態の吸着材２３は、揮発成分１９を吸着するクリーム、または、揮発成分１９を吸着するゲルである。より具体的には、シアノアクリレート系接着剤から発生するポリマー蒸気を吸着するクリームまたはゲルである。クリームまたはゲルは、その表面で、ポリマー蒸気（または、揮発性有機化合物（ＶＯＣ））を好適に吸着することができる。また、クリーム、ゲルでなく、表面積増大による物理吸着を利用した吸着材２３を用いることも可能である。そのような吸着材としては、揮発成分を吸着する多孔質部材（例えば、ゼオライトなど）を挙げることができる。さらに、本実施形態の吸着材２３としては、ホルムアルデヒド吸着・分解シート（例えば、アイシン精機株式会社製）、ホルムアルデヒド吸着・分解剤（酸化チタン（光触媒）とフッ素樹脂とを含有する材料）、ホルム吸着ビーズ（例えば、日本デオドール株式会社製）、アルデヒド用キャッチャー剤（例えば、大塚化学株式会社製の「ケムキャッチ」）などを挙げることができる。なお、具体的な材料選定にあたっては、当業者が適宜好適なものを採用すればよい。
【０１０１】
次に、図８（ｂ）に示すように、吸着材２３が配置された状態において、接着剤１７が塗布された人工まつげ本体部１０をまつげ５０に装着する。この場合、接着剤１７から揮発した成分（ポリマー蒸気）１９は、矢印２５に示すように吸着材２３に吸着されるため、被施術者の眼には入らないようにすることができる。
【０１０２】
人工まつげ本体部１０（まつげエクステ１００）をまつげ５０に密着させて装着させた後は、図８（ｃ）に示すように、ピンセット６０を外して、まつげエクステ１００の取り付けが完了する。この作業を各まつげ５０について行う。吸着材２３は、必要なすべてのまつげ５０への装着が終わるまで配置しておけばよく、最後に、吸着材２３の除去を実行したらよい。
【０１０３】
本実施形態の吸着材２３は、クリーム（またはゲル）を被施術者の皮膚に直接塗る他、ガーゼやタオルなどの布部材またはシート部材にクリーム（またはゲル）を付与して、その状態で被施術者の目の周辺（まぶたなど）に配置することができる。図８（ａ）及び（ｂ）に示した例では、まぶた５５の上に吸着材２３を配置したが、目の下（下まつげの下）に吸着材２３を配置してもよく、あるいは、目の周りを囲むように配置してもよい。また、多孔質物質からなる吸着材２３は、空気が通過可能な容器またはシートに入れられて、それを目の周り、あるいは、接着剤１７の付近に配置することができる。
【０１０４】
本実施形態３の取付け方法によれば、接着剤１７から揮発する揮発成分（ポリマー蒸気）１９を吸着する吸着材２３を眼の周囲に配置した状態で、接着剤１７が塗布された人工まつげ本体部１０をまつげ５０に装着する。接着剤１７から揮発した成分（ポリマー蒸気）１９は吸着材２３に吸着されるので（矢印２５）、仮に、施術される人（被施術者）が薄目を開けていたとしても、そのポリマー蒸気１９が被施術者の眼に入ることを抑制できる。
【０１０５】
なお、本実施形態３の手法を、上述した実施形態１または実施形態２の手法と組み合わせて使用することも可能である。
【０１０６】
＜実施形態４＞
次に、図９（ａ）から（ｃ）を参照しながら、本発明の実施形態に係るまつげエクステ１００の他の取付け方法（実施形態４）について説明する。図９（ａ）から（ｃ）は、本実施形態３のまつげエクステ１００をまつげ５０に取り付ける方法を説明する図である。
【０１０７】
上述した実施形態１の取付け方法では、吸引器具２０の吸引動作をしながら、人工まつげ本体部１０（まつげエクステ１００）をまつげ５０に装着した。本実施形態４の手法では、伸縮型テープでまつげの内側の粘膜部から眼球まで保護した状態で、まつげエクステ１００をまつげ１０に装着する。これにより、ポリマー蒸気が被施術者の眼に入ることを抑制できる。なお、他の構成については、上述した実施形態１の構成と共通するものが多いので、説明を簡単にするために省略する。
【０１０８】
まず、図８（ａ）に示すように、本実施形態のまつげエクステ１００（人工まつげ本体部１０）の一部をピンセット６０で掴み、そして末端部１５に接着剤１７を塗布する。そして、その前段階として、接着剤１７から揮発する揮発成分１９が眼球に向かうのを保護するように、伸縮型テープ２７で、被施術者のまつげ５０の内側の粘膜部から眼球まで保護する。なお、人工まつげ本体部１０に接着剤を塗布した後に、伸縮型テープ２７で被施術者の保護をすることも可能であるが、施術プロセス的にはスムーズではなく実用的ではない。
【０１０９】
ここで、図２に示すように、まつげエクステ施術の際にテープを使う場合、テープの貼付は、通常は、次の３つの目的でなされる。（１）下まつげと上まつげがくっつかないようにする、（２）まぶた周辺を保護する（グルー、ピンセット等から）、（３）施術しやすい状況を作る。
【０１１０】
そして、テープ貼付の最重要注意点は、次の３つである。（Ａ）眼球に触れることのないようにする、（Ｂ）粘膜に触れることのないようにする、（Ｃ）薄目を開けることがないようにする。つまり、通常のテープ貼付は、上記の（１）〜（３）の目的を達成するために、注意点として（Ａ）〜（Ｃ）を挙げている。ここでも述べているが、テープ貼付においては、眼球に触れることがないようにし、かつ、粘膜に触れることがないように注意して実行される。
【０１１１】
一方、本実施形態４の手法では、被施術者が薄目をあけてしまった場合でも、揮発成分１９が眼球に向かうのを保護することを目的としているので、通常のテープ貼付と異なり、被施術者のまつげ５０の内側の粘膜部から眼球まできちんと保護する。具体的には、まつげ５０の内側の粘膜及び／又はその隣接部（すなわち、まつげ内側の粘膜部）に、きちんと、伸縮型テープ２７を貼り付ける。このようにすれば、ポリマー蒸気が眼球に到達しないように確実に保護することができる。
【０１１２】
本実施形態の伸縮型テープ２７は、被施術者のまつげ５０の内側の粘膜部から眼球まで覆って保護することができれば特に限定されるものではないが、例えば、伸縮性のあるシリコーン材料に、粘着剤として、粘着性の強いシリコーンを用いたものを使用することができる。
【０１１３】
次に、図９（ｂ）に示すように、伸縮型テープ２７で保護した状態にて、接着剤１７が塗布された人工まつげ本体部１０をまつげに装着する。この例において、伸縮型テープ２７によって眼球は保護されているので、接着剤１７から揮発した成分（ポリマー蒸気）１９は被施術者の眼に入ることはない。
【０１１４】
人工まつげ本体部１０（まつげエクステ１００）をまつげ５０に密着させて装着させた後は、図９（ｃ）に示すように、ピンセット６０を外して、まつげエクステ１００の取り付けが完了する。この作業を各まつげ５０について行う。伸縮型テープ２７は、必要なすべてのまつげ５０への装着が終わるまで配置しておけばよく、最後に、伸縮型テープ２７の除去を実行したらよい。
【０１１５】
本実施形態４の取付け方法によれば、伸縮型テープ２７でまつげ５０の内側の粘膜部から眼球まで保護した状態において、接着剤１７が塗布された人工まつげ本体部１０をまつげ５０に装着する。したがって、接着剤１７から揮発した成分（ポリマー蒸気）１９は伸縮型テープ２７で遮断されるため、被施術者が薄目を開けていたとしても、そのポリマー蒸気１９が被施術者の眼に入ることはない。
【０１１６】
なお、本実施形態４の手法を、上述した実施形態１（または実施形態２）、および／または実施形態３の手法と組み合わせて使用することも可能である。
【０１１７】
＜実施形態５＞
上述の実施形態１〜４においては、まつげエクステの取付け方法を説明したが、さらに、本発明においては、まつげエクステの取付けの際における接着剤から発生する揮発ポリマー（ポリマー蒸気）を検査する方法を提供することができる。以下、図１０から図１２を参照しながら、まつげエクステ施術時における揮発ポリマー（ポリマー蒸気）の検査方法について説明する。
【０１１８】
図１０は、本実施形態５における揮発ポリマーの検査を行うための測定キット（検査キット）７０の構成を示す平面図である。また、図１１は、本実施形態の測定キット（検査キット）７０の構成を示す断面図である。そして、図１２は、本実施形態の検査を説明するためのフローチャートである。
【０１１９】
本実施形態の測定キット７０は、まつげエクステ（１００）の取付けの際における接着剤（１７）から発生する揮発ポリマー（１９）を測定（検査）できる装置（器具）である。測定キット７０は、図１０および図１１に示すように、薄目を開けた形状の開口部７５を有するシート部材７２と、シート部材７２の開口部７５を覆う人工まつげ構造物７３（７３ａ、７３ｂ）とから構成されている。
【０１２０】
また、図１１に示すように、シート部材７２の下には、揮発ポリマー（ポリマー蒸気）を付着させる付着部７６が配置されている。付着部７６は、容器７８の中にセットされている。より具体的には、容器７８中の付着部７６は、シート部材７２の開口部７５の下方に配置されており、開口部７５を通過した揮発ポリマーを付着することができる。さらに説明すると、シート部材７２の開口部７５を通過した揮発ポリマーは、付着部７６の表面７６ａに付着し、その量（または付着の様子）で、揮発ポリマーの検査を行うことができる。
【０１２１】
シート部材７２の開口部７５は、薄目を開けた形状を規定しているが、実験をする上で揮発ポリマーの検査をより感度良く行う上で、薄目よりも大きめの開口部７５にしても構わない。開口部７５の境界線は、曲線にて規定してもよいし、直線を幾つか組み合わせてもよい（あるいは、曲線と直線を組み合わせても構わない）。開口部７５の寸法は、次のものに限定されるものではないが、目の横方向（顔の水平方向）の長さは、例えば３ｃｍ〜５ｃｍである。また、目の開き具合を規定する長さ（顔の垂直方向の長さ）は、例えば３ｍｍ〜１０ｍｍである。
【０１２２】
シート部材７２の材質は、特に制限されるものではなく、樹脂、紙、金属など適切なものを使用することができる。シート部材７２の厚さは、例えば０．０１ｍｍ〜０．１ｍｍであるが、それに限定されるものではない。なお、シート部材７２ですが、可撓性である必要はなく、マネキンの表面のように比較的固い材質のものでもよいし、いわゆるお面の部材でも構わない。
【０１２３】
シート部材７２の表面側（顔表面側）には、開口部７５を覆うように、人工まつげ構造物７３（７３ａ、７３ｂ）が配置されている。人工まつげ構造物７３は、所謂つけまつげであり、まつげ部分に相当するまつげ部分７３ｂと、そのまつげ部分７３ｂの根本を固定して支持する支持部７３ａとから構成されている。本実施形態の人工まつげ構造物７３は、樹脂製であるが、それに限らず他の材料（例えば、天然材料）を使用してもよい。また、薄目を規定する開口部７５を覆うまつげ部分に対応していればよいので、人工まつげ構造物７３は、所謂つけまつげの製品を配置するだけでなく、他の構造物（まつげに相当する部材）を配置できればそれで十分である。
【０１２４】
図１１に示した例の付着部７６は、ゼラチンから構成されている。ゼラチンは、水分を多く含み眼球の表面に似ているとともに、入手しやすさから好適に使用できる。付着部７６は、ゼラチンに限らず、他の材料から構成することができ、樹脂材料、ゼリー状材料、天然材料・食品材料（人間と同じたんぱく質であるゆで卵や、コラーゲン、ヨウカン、寒天、コンニャク、葛など）、その他、当業者が適切と判断する材料を使用することが可能である。付着部７６を収納する容器７８は、プラスチック、陶器（セラミック）、金属、ガラスなどの材料から構成することができる。
【０１２５】
次に、図１２も参照しながら、本実施形態の検査方法について説明する。まず、ポリマー蒸気（揮発ポリマー）を測定する測定キット７０をセットする（工程Ｓ１０）。測定キット（検査キット）７０は、図１０及び図１１に示すようにセットする。
【０１２６】
次に、人工まつげ構造物７３であるつけまつげのまつげ部分７３ａに、まつげエクステ１００（人工まつげ本体部１０）を接着する（工程Ｓ２０）。まつげエクステ１００の接着は、図１に示した通りである。具体的には、接着剤を用いて人工まつげ本体部１０の１本１本を各まつげ５０に装着していく。また、本実施形態の取付け方法を用いて検証を行う場合には、図６、図８などに示した通りである。
【０１２７】
引き続いて、まつげエクステ１００の取付けが必要な全てのまつげ５０に、まつげエクステ１００の接着を行って装着を完了させる（工程Ｓ２５）。この取付作業は、おおよそ１時間程度である。その間、まつげエクステ１００（人工まつげ本体部１０）に塗布された接着剤（１７）からポリマー蒸気（揮発ポリマー）１９が、測定キット７０の開口部７５を通って付着部７６の表面７６ａに付着していく。なお、ポリマー蒸気１９は透明であるので、肉眼では開口部７５を通過している様子を確認することは難しい。
【０１２８】
次に、付着部７６を構成するゼラチンの表面７６ａに堆積しているポリマー（ポリマー薄膜）を目視する（工程Ｓ３０）。具体的には、図４に示した状態のものを観測する。典型的には、観測者の目視で、ポリマー蒸気１９がどれくらい眼球に付着するかの測定（目算）を行うことができる。また、それによって、まつげエクステ施術時におけるポリマー蒸気１９の影響を判定することができる（工程Ｓ４０）。なお、ここでの判定とは、人間が目視してポリマー蒸気１９が眼球に侵入しそうかを予測・推定することをいう。また、測定とは、目視にて、ポリマー蒸気１９の付着量を読みとることをいい、必ずしも数値化（質量、体積、面積など）する必要はない。
【０１２９】
このチェック（工程Ｓ４０）によって、接着剤１７の種類ごと（または接着剤の製造メーカの製品ごと）に、まつげエクステを施術した際におけるポリマー蒸気の影響を、実際に被施術者に施術を行う前に確認することができる。また、同一の接着剤１７を使った場合でも、施術者ごとに、ポリマー蒸気の影響がどう変化するかをみることで、施術者のスキルを判定することができる。
【０１３０】
測定キット７０の付着部７６に付着したポリマー蒸気（揮発ポリマー）をチェックする工程（Ｓ４０）では、観測者（検査員）の目視で判定する他、画像処理で行う方法もある。例えば、測定キット７０の付着部７６に付着したポリマー蒸気をカメラ（撮像素子）で撮像し、次いで、当該カメラで撮像した画像データを画像解析することで、観測者の目視でなく、ハードウエア・ソフトウエアによって判定することが可能である。なお、カメラで撮像しやすいように、水分が多い状態の物質（基板）や白い材料の部材（基板）ではなく、堆積するポリマーを撮像しやすい部材（例えば、基板）を用いることが好ましい。
【０１３１】
そのようなコンピュータ（ハードウエア・ソフトウエア）による判定は、次のようにすればよい。まず、ポリマー蒸気がまだ付着してない状態の付着部７６の表面７６ａをカメラで撮像し、その状態を基準の画像データとして記録しておく。そして、上述した本実施形態５の検査方法を実行した後、付着部７６の表面７６ａをカメラで撮像し、その画像データを、基準の画像データと対比する。検査実行後の画像データを、基準の画像データと比較することで（例えば、輝度の差）、所定の数値以上（例えば、輝度の差の値）であれば、ポリマー蒸気が付着していると判定することができる。
【０１３２】
ポリマー蒸気の付着を正確に判定するには、付着部７６の表面７６ａの画像が一定かつ理想的な状態（光による表面の輝度ムラがない状態）になるように、光学系・照明系を調整することが求められるが、その調整が良好にできるのであれば、観測者の目視による誤差が減るとともに、数値化が容易であるので、便利である。
【０１３３】
その場合におけるカメラは、例えば、ＣＣＤイメージセンサ、または、ＣＭＯＳイメージセンサなどである。一定距離でカメラの撮像を行うために、カメラを移動可能なカメラ移動装置に接続して、毎回、所定の距離で撮像できるように構成してもよい。画像解析を実行する装置は、コンピュータであり、例えば、市販のパーソナル・コンピュータを用いて実行しても構わない。画像解析を実行するコンピュータは、半導体集積回路からなる制御装置（例えばＭＰＵ（マイクロ・プロセッシング・ユニット）またはＣＰＵ（セントラル・プロセッシング・ユニット））を備えており、その他に、画像データを記憶する記憶装置を備えている。記憶装置は、例えば、ハードディスク（ＨＤＤ）、半導体メモリ、光ディスク、光磁気ディスクなどである。さらには、入力装置（キーボード、マウス、タッチパネルなど）および出力装置（ディスプレイなど）を組み合わせることができる。なお、制御装置、記憶装置、入力装置、出力装置は、汎用のＰＣ（パーソナル・コンピュータ）のものを適用しようすればよい。
【０１３４】
画像解析を実行するコンピュータで判定処理をする場合には、画像解析のためのプログラムを記憶装置に格納しておく。画像解析のための画像解析プログラムは、例えば、カメラで撮像した画像データから、輝度データを算出するためのプログラムである。そして、制御装置および記憶装置に格納された画像解析プログラムを協働して動作させることにより、汎用のＰＣを画像解析装置にすることができ、それによって、判定処理を実行することができる。コンピュータの構成および画像解析プログラムの内容については、当業者が適宜好適なものを採用すればよい。なお、汎用ＰＣと、インターネット回線と、インターネットに接続されたサーバーを用いて、一つのＰＣで完結させるのでなく、インターネットを利用して遠隔にて画像処理の動作を実行することも可能である。
【０１３５】
また、本実施形態の測定キット（検査キット）７０は、図１３に示す構成にすることも可能である。図１３に示した測定キット７０は、質量メータ７９ｂに接続されている。具体的には、質量メータ７９ｂに接続された容器（トレイ）７９に、付着部７７が配置されており、検査前と検査後の付着部７７の質量の差で、ポリマー蒸気の影響を判定する。この場合、質量でポリマー蒸気の付着量を簡便に算出できるので、便利である。もちろん、目視と併用して、付着の状態などを観察することが好ましい。
【０１３６】
本実施形態の検査手法によれば、測定キット７０の人工まつげ構造物７３の人工まつげ部分７３ｂに人工まつげ本体部１０を装着した後、測定キット７０の付着部７６に付着した揮発ポリマー（ポリマー蒸気）１９をチェックする。これにより、接着剤１７からのポリマー蒸気が、薄目を開けた形状の開口部７５をどれくらい通過したかを確認することができる。その結果、施術時において接着剤１７から発生しているポリマー（ポリマー蒸気）の程度、および／または、施術者のスキルを、測定キット７０を用いて、施術される人に実際に施術する前に確認・測定することができる。
【０１３７】
加えて、本実施形態の測定キット（検査キット）７０は、ポリマー蒸気１９の影響だけでなく、まつげエクステ１００の取付けの際に眼に侵入する異物を検査するキットとしても使用することができる。特に、初心者の施術者の場合、眼に異物を落としてしまう危険性があり、それを実際の被施術者に行う前に、この検査キット７０で、異物侵入の有無の検査を実践でき、かつ、施術スキルを判定できることの技術的な意義は大きい。
【０１３８】
以上、本発明を好適な実施形態により説明してきたが、こうした記述は限定事項ではなく、勿論、種々の改変が可能である。特に、上記実施形態１から５に開示したそれぞれの構成や特徴などは、適宜組み合わせて使用することができる。
【０１３９】
また、本実施形態のまつげエクステ１００（人工まつげ本体部１０）は、抗菌まつげエクステを使用することが可能である。抗菌まつげエクステを使用すれば、目元に雑菌が繁殖しやすい状態を解消ないし緩和することができる。そのような抗菌のまつげエクステ１００は、抗菌材料（例えば、銀イオン（Ａｇ＋）、または、金属イオンを含む無機抗菌材料、有機抗菌材料）を人工まつげ本体部１０に混練したもの、あるいは、抗菌材料を人工まつげ本体部１０の表面に塗布したもの、抗菌材料を人工まつげ本体部１０の表面から含浸させたもの等を挙げることができる。なお、銀イオン（Ａｇ＋）は、原子としての銀（Ａｇ）から電子が外れた陽イオンとして存在している銀イオンのことであり、大きさは銀原子とほぼ同じで２００ピコメートル程度のいわゆる原子の大きさである。銀イオンは、銀ナノ粒子の状態で存在させることができ、銀ナノ粒子は、銀をナノメートルのオーダーにした粒子（粒径１０００ｎｍ以下）である。
【０１４０】
さらに、図７に示した例では、上まつげ５０にまつげエクステ１００を装着したが、下まつげにエクステ１００を装着しても構わない。なお、図６に示した人工まつげ本体部１０などでは、断面が円形であるものを示したが、それに限らず、楕円形（または実質的に楕円形または長円形）のものであっても構わない。加えて、人工まつげ本体部１０の断面を多面形（六角形、八角形など）にすることも可能であるし、断面を星形（六角形の星形、八角形の星形）にすることも可能である。
【産業上の利用可能性】
【０１４１】
本発明によれば、ポリマー蒸気の影響を回避した新規のまつげエクステの取り付け方法を提供することができる。
【符号の説明】
【０１４２】
１０   人工まつげ本体部
１１   先端部
１５   末端部（根本部）
１７   接着剤
１９   揮発成分（ポリマー蒸気）
２０   吸引器具
２１   吸引口部位
２２   吸引本体部
２３   吸着材
２７   伸縮型テープ
５１   眼
５５   使用者
５７   テープ
５９   タオル
６０   ピンセット
６５   施術者
７０   測定キット（検査キット）
７２   シート部材
７３   人工まつげ構造物（つけまつげ）
７５   開口部
７６   付着部
７７   付着部
７８   容器
７９ｂ 質量メータ
１００ まつげエクステ
１０００ まつげエクステ
【図１】
2015105447.tif 000003
【図２】
2015105447.tif 000004
【図３】
2015105447.tif 000005
【図４】
2015105447.tif 000006
【図５】
2015105447.tif 000007
【図６】
2015105447.tif 000008
【図７】
2015105447.tif 000009
【図８】
2015105447.tif 000010
【図９】
2015105447.tif 000011
【図１０】
2015105447.tif 000012
【図１１】
2015105447.tif 000013
【図１２】
2015105447.tif 000014
【図１３】
2015105447.tif 000015